(57)【要約】【課題】第１カバー体の反りを抑制し、第１カバー体の開放時に、第１カバー体と並べて配置される第２カバー体との当接を抑制することができる画像形成装置を提供する。【解決手段】画像形成装置１は、画像形成部４と、筐体２と、前カバー８１と、カセットカバー３２とを備える。画像形成部４は、シートＳに画像を形成する。筐体２は、画像形成部４を内部に収容する。前カバー８１は、筐体２に対して開閉可能である。カセットカバー３２は、前カバー８１の下側に前カバー８１と並べて配置される。前カバー８１は、カバー本体８２と、カバー本体８２の下端部８２ａに位置する軸部８３と、カセットカバー３２に当接する当接部９１と、カバー本体８２から延びて当接部９１を支持する支持部９０とを有する。前カバー８１は、軸部８３の軸心を中心に開閉する。当接部９１は、前カバー８１が閉位置に位置する際にカセットカバー３２に当接する。【選択図】図５
2019020455.tif 000002
【特許請求の範囲】
【請求項１】
記録媒体に画像を形成する画像形成部と、
前記画像形成部を内部に収容する筐体と、
前記筐体に対して開閉可能な第１カバー体と、
前記第１カバー体の一方側に前記第１カバー体と並べて配置される第２カバー体と
を備え、
前記第１カバー体は、カバー本体と、前記カバー本体の前記一方側の端部に位置する軸部と、前記第２カバー体に当接する当接部と、前記カバー本体から延びて前記当接部を支持する支持部とを有し、
前記第１カバー体は、前記軸部の軸心を中心に開閉し、
前記当接部は、前記第１カバー体が閉位置に位置する際に前記第２カバー体に当接する、画像形成装置。
【請求項２】
前記筐体に着脱可能な給紙カセットを更に備え、
前記第２カバー体は、前記給紙カセットに設けられる、請求項１に記載の画像形成装置。
【請求項３】
前記支持部は、前記軸部よりも前記第２カバー体に近い前記カバー本体の縁部から前記筐体の内側に向かって延びる第１支持片と、前記第１支持片の先端から前記一方側に向かって延びる第２支持片とを有する、請求項１又は請求項２に記載の画像形成装置。
【請求項４】
前記当接部は、前記支持部の先端から前記筐体の外側に向かって延びる、請求項１から請求項３のいずれか１項に記載の画像形成装置。
【請求項５】
前記当接部は、第１当接部を有し、
前記第１当接部は、前記カバー本体の前記軸心に沿った方向における中央部に位置する、請求項１から請求項４のいずれか１項に記載の画像形成装置。
【請求項６】
前記当接部は、第２当接部を有し、
前記第２当接部は、前記カバー本体の前記軸心に沿った方向における一方側の端部に位置する、請求項１から請求項５のいずれか１項に記載の画像形成装置。
【請求項７】
前記当接部は、前記カバー本体の前記軸心に沿った方向における一方側の端部から他方側の端部まで延びる幅を有する、請求項１から請求項４のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、筐体と、前カバーと、カセットとを備える。前カバーは、下端側を支点として、筐体に対して開閉される。カセットは、前カバーの下側に配置される。カセットは、筐体に対して着脱可能である。カセットには、複数の記録媒体を載置し得る。特許文献１に記載の画像形成装置では、前カバーが開放された後に、例えば、ジャム処理が実行される。
【先行技術文献】
【特許文献】
【０００３】
【特許文献１】特開２０１７−５４０２３号公報
【発明の概要】
【発明が解決しようとする課題】
【０００４】
しかしながら、筐体に対して開閉可能なカバー体には、筐体の外側に向かって膨出する反りが生じるおそれがある。具体的には、カバー体が有する部材の製造誤差、及び経時変化によって、カバー体に反りが生じる場合がある。カバー体に反りが生じた場合、カバー体の開放時に、カバー体の下端部とカバー体の下方に位置する他のカバー体とが当接するおそれがあり、筐体に対して開閉可能なカバー体の反りについては改善の余地がある。例えば、特許文献１に記載の画像形成装置では、筐体に対して開閉可能な前カバーと、カセットの前カバーとが当接するおそれがある。
【０００５】
本発明は上記課題に鑑みてなされたものであり、その目的は、第１カバー体の反りを抑制し、第１カバー体の開放時に、第１カバー体と並べて配置される第２カバー体との当接を抑制することができる画像形成装置を提供することにある。
【課題を解決するための手段】
【０００６】
本発明の画像形成装置は、画像形成部と、筐体と、第１カバー体と、第２カバー体とを備える。前記画像形成部は、記録媒体に画像を形成する。前記筐体は、前記画像形成部を内部に収容する。前記第１カバー体は、前記筐体に対して開閉可能である。前記第２カバー体は、前記第１カバー体の一方側に前記第１カバー体と並べて配置される。前記第１カバー体は、カバー本体と、軸部と、当接部と、支持部とを有する。前記軸部は、前記カバー本体の前記一方側の端部に位置する。前記当接部は、前記第２カバー体に当接する。前記支持部は、前記カバー本体から延びて前記当接部を支持する。前記第１カバー体は、前記軸部の軸心を中心に開閉する。前記当接部は、前記第１カバー体が閉位置に位置する際に前記第２カバー体に当接する。
【発明の効果】
【０００７】
本発明の画像形成装置によれば、第１カバー体の反りを抑制し、第１カバー体の開放時に、第１カバー体と並べて配置される第２カバー体との当接を抑制することができる。
【図面の簡単な説明】
【０００８】
【図１】本発明の実施形態に係る画像形成装置の構成を示す図である。
【図２】本発明の実施形態に係る前カバーの開放位置を示す図である。
【図３】本発明の実施形態に係るカセットカバーを示す斜視図である。
【図４】本発明の実施形態に係る前カバーの下端部を示す斜視図である。
【図５】（ａ）及び（ｂ）は、本発明の実施形態に係る前カバー及びカセットカバーを示す図である。
【発明を実施するための形態】
【０００９】
以下、図面を参照して本発明の実施形態を説明する。ただし、本発明は以下の実施形態に限定されない。なお、図中、同一又は相当部分については、同一の参照符号を付して説明を繰り返さない。
【００１０】
図１を参照して、本発明の実施形態に係る画像形成装置１について説明する。図１は、本実施形態に係る画像形成装置１の構成を示す図である。図１に示すように、画像形成装置１は、印刷機である。画像形成装置１は、シートＳに画像を形成する。
【００１１】
シートＳは、本発明の記録媒体の一例である。シートＳは、例えば、普通紙、コピー紙、再生紙、薄紙、厚紙、光沢紙、又はＯＨＰ（Ｏｖｅｒｈｅａｄ  Ｐｒｏｊｅｃｔｏｒ）用紙である。
【００１２】
画像形成装置１は、筐体２と、給紙部３と、画像形成部４と、定着部５と、排出トレイ６と、開閉部８とを備える。筐体２は、箱状に形成される。筐体２は、給紙部３と、画像形成部４と、定着部５とを内部に収容する。また、筐体２は、上面部２１を有する。上面部２１には、排出トレイ６が形成される。
【００１３】
給紙部３は、少なくとも１枚のシートＳを給紙する。詳しくは、給紙部３は、少なくとも１つの給紙カセット３１を有する。給紙カセット３１は、筐体２の下端部に配置される。給紙カセット３１は、筐体２に着脱可能である。また、給紙カセット３１には、複数のシートＳが載置され得る。給紙カセット３１は、シートＳの搬送方向の下流側に向かってシートＳを給紙する。
【００１４】
給紙カセット３１は、カセットカバー３２を有する。カセットカバー３２は、本発明の第２カバー体の一例である。図１において、カセットカバー３２が配置される側を画像形成装置１の前方とし、前後方向を規定する。また、前方から画像形成装置１に向かって左側を画像形成装置１の左方とし、左右方向を規定する。また、前後方向及び左右方向に直交する方向を上下方向と規定する。カセットカバー３２は、給紙カセット３１の前端部に位置する。
【００１５】
画像形成部４は、像担持体４１と、帯電部４２と、露光部４３と、現像部４４と、転写部４５とを有する。画像形成部４は、給紙部３から給紙されるシートＳにトナー画像を形成する。定着部５は、シートＳにトナー画像を定着させる。トナー画像が定着されたシートＳは、排出トレイ６に排出される。
【００１６】
開閉部８は、筐体２に対して開閉可能である。開閉部８は、筐体２の前面に形成された開口を覆う。開閉部８は、前カバー８１を有する。
【００１７】
前カバー８１は、本発明の第１カバー体の一例である。前カバー８１は、筐体２の前面に配置される。前カバー８１は、筐体２の前面において、カセットカバー３２の上側にカセットカバー３２と並べて配置される。前カバー８１は、筐体２の開口を覆う。前カバー８１は、カバー本体８２と、軸部８３とを有する。
【００１８】
カバー本体８２は、板状に形成される。軸部８３は、カバー本体８２の下端部に位置する。軸部８３は、筐体２に軸支される。したがって、カバー本体８２は、軸部８３を中心に軸部８３の回りを回転可能である。この結果、前カバー８１は、前カバー８１の下端部に位置する軸部８３の軸心回りで、筐体２に対して開閉可能である。
【００１９】
次に、図２を参照して、前カバー８１の開閉について説明する。図２は、前カバー８１の開放位置を示す図である。図２に示すように、前カバー８１は、図１に示す閉位置から、開放位置まで開放可能である。前カバー８１は、例えば、紙詰まりの際のジャム処理時、又はトナーの交換時に開放される。
【００２０】
次に、図１及び図３を参照して、カセットカバー３２の構成について更に説明する。図３は、カセットカバー３２を示す斜視図である。詳しくは、図３は、カセットカバー３２の背面を示す。図３に示すように、カセットカバー３２は、カセットカバー本体部３３と、縁部３４とを有する。
【００２１】
カセットカバー本体部３３は、例えば、板状に形成される。カセットカバー本体部３３の下端部には、開口が形成される。給紙カセット３１を筐体２に着脱する際に、開口には、ユーザーの手が挿し込まれる。また、カセットカバー本体部３３は、上面フレーム３３ａを有する。上面フレーム３３ａは、カセットカバー本体部３３の上端部に位置する。上面フレーム３３ａは、カセットカバー３２の上面を形成する。
【００２２】
縁部３４は、上面フレーム３３ａの前側の縁に沿って形成される。縁部３４は、上面フレーム３３ａと前カバー８１との間の隙間に位置する。この結果、縁部３４は、ユーザーに隙間を小さく視認させ、画像形成装置１の外観を向上させることができる。
【００２３】
次に、図１及び図４を参照して、前カバー８１の構成について更に説明する。図４は、前カバー８１の下端部８１ａを示す斜視図である。図４に示すように、前カバー８１は、カバー本体８２、及び図１を参照して説明した軸部８３に加えて、支持部９０と、当接部９１とを更に有する。
【００２４】
カバー本体８２は、軸受８２ａを有する。軸受８２ａは、カバー本体８２の左右方向の端部に形成される。軸受８２ａには、軸部８３が嵌合する。カバー本体８２には、例えば、カバー本体８２の製造誤差、及び経時変化によって、筐体２の外側に向かって膨出する反りが生じる場合がある。
【００２５】
支持部９０は、カバー本体８２から延びる。支持部９０は、当接部９１を支持する。支持部９０は、第１支持片９０ａと、第２支持片９０ｂとを有する。
【００２６】
第１支持片９０ａは、カバー本体８２の下側の縁部８１ｂから筐体２の内側に向かって延びる。本実施形態において、第１支持片９０ａは、縁部８１ｂから後側に向かって延びる。第２支持片９０ｂは、第１支持片９０ａの先端から下方に向かって延びる。第２支持片９０ｂは、当接部９１を支持する。第１支持片９０ａ及び第２支持片９０ｂの左右方向の幅は、正面視において、カバー本体８２の左右方向の幅に等しい。
【００２７】
当接部９１は、前カバー８１が閉位置に位置する際に、カセットカバー３２に当接する。当接部９１は、支持部９０の先端から筐体２の外側に向かって延びる。換言すると、当接部９１は、第２支持片９０ｂの先端から前側に向かって延びる。
【００２８】
本実施形態の画像形成装置１では、前カバー８１が閉位置に位置する際に、当接部９１がカセットカバー３２に当接する。したがって、カバー本体８２に反りが生じる場合には、カセットカバー３２から当接部９１に、当接部９１を後側に向かって押圧する力が作用する。この押圧力が支持部９０を介してカバー本体８２に作用することにより、カバー本体８２の反りが抑制される。この結果、前カバー８１の開放時に、前カバー８１とカセットカバー３２とが当接することを抑制することができる。
【００２９】
当接部９１は、第１当接部９１ａと、第２当接部９１ｂとを有する。第１当接部９１ａは、カバー本体８２の左右方向の中央部に位置する。前カバー８１が閉位置に位置する際に、第１当接部９１ａは、カセットカバー３２の左右方向の中央部に当接する。したがって、カバー本体８２の左右方向の中央部の反りを効果的に抑制することができる。
【００３０】
第２当接部９１ｂは、カバー本体８２の右側の端部に位置する。前カバー８１が閉位置に位置する際に、第２当接部９１ｂは、カセットカバー３２の右側の端部に当接する。したがって、カバー本体８２の左右方向の一方側の端部の反りを効果的に抑制することができる。
【００３１】
次に、図５を参照して、前カバー８１の開閉について説明する。図５（ａ）及び図５（ｂ）は、前カバー８１及びカセットカバー３２を示す図である。詳しくは、図５（ａ）に示す前カバー８１は、開放位置に位置し、図５（ｂ）に示す前カバー８１は、閉位置に位置する。
【００３２】
図５（ａ）に示す仮想線Ｄは、前カバー８１が開放位置から閉位置まで閉じられる際に移動する当接部９１の下端の軌跡を示す。図５（ａ）に示すように、前カバー８１が閉じられる際に、前カバー８１の軸部８３よりも上部は、軸部８３を中心に後方に向かって回転する。また、前カバー８１が閉じられる際に、前カバー８１の軸部８３よりも下部は、軸部８３を中心に前方に向かって回転する。当接部９１は、軸部８３が位置するカバー本体８２の下端部８１ａに支持部９０を介して支持される。したがって、当接部９１は、軸部８３から所定の距離だけ下方に離れた位置に位置する。前カバー８１の開閉時に、前カバー８１が閉位置に位置する場合を除いて、当接部９１は、カセットカバー３２と当接しない。
【００３３】
図５（ｂ）に示すように、前カバー８１が開放位置から閉位置まで閉じられた際に、当接部９１は、縁部３４に当接する。したがって、カバー本体８２の反りを抑制することができる。
【００３４】
以上、図１から図５を参照して、本発明の実施形態に係る画像形成装置１について説明した。但し、本発明は、上記の実施形態に限られるものではなく、その要旨を逸脱しない範囲で種々の態様において実施することが可能である。
【００３５】
例えば、本発明の実施形態では、第２当接部９１ｂは、カバー本体８２の右側の端部に形成されたが、本発明はこれに限定されない。第２当接部９１ｂは、例えば、カバー本体８２の左側の端部に形成されてもよい。また、第２当接部９１ｂは、例えば、カバー本体８２の左右方向の両側の端部に形成されてもよい。
【００３６】
また、本発明の実施形態では、当接部９１は、第１当接部９１ａと、第２当接部９１ｂとを有していたが、本発明はこれに限定されない。当接部９１は、例えば、カバー本体８２の左側の端部からカバー本体８２の右側の端部まで延びる幅を有するように形成されてもよい。このような当接部９１は、例えば、筐体２の内部に埃が侵入することを抑制することができる。
【００３７】
また、本発明の実施形態では、画像形成装置１は、印刷機であったが、本発明は、これに限定されない。画像形成装置１は、シートＳに画像を形成すればよい。画像形成装置１は、例えば、複合機であってもよい。複合機は、例えば、コピー機能、プリンター機能、及びファクシミリ機能のうちの少なくとも２つの機能を有する。
【００３８】
なお、図面は、理解しやすくするために、それぞれの構成要素を主体に模式的に示しており、図示された各構成要素の厚み、長さ等は、図面作成の都合上から実際とは異なる。また、上記の実施形態で示す各構成要素の形状等は一例であって、特に限定されるものではなく、本発明の効果から実質的に逸脱しない範囲で種々の変更が可能である。
【産業上の利用可能性】
【００３９】
本発明は、記録媒体に画像を形成し得る画像形成装置に関するものであり、開閉可能なカバー体に生じる反りの抑制に有用である。
【符号の説明】
【００４０】
１        画像形成装置
２        筐体
４        画像形成部
３２      カセットカバー
８１      前カバー
８２      カバー本体
８３      軸部
９０      支持部
９１      当接部
Ｓ        シート
【図１】
2019020455.tif 000003
【図２】
2019020455.tif 000004
【図３】
2019020455.tif 000005
【図４】
2019020455.tif 000006
【図５】
2019020455.tif 000007